(57)【要約】【課題】本発明は、締結箇所を少なくし、これによりかご室への取付を容易にするとともに、締結忘れを防止することを目的とするものである。【解決手段】天井本体１は、天井中央部３と、天井前部４と、天井後部５と、第１の天井側部６と、第２の天井側部７とを有している。第１及び第２の天井側部６，７は、側壁に締結される締結位置と、締結位置よりも天井本体１の幅方向中心側の縮小位置との間で、天井中央部３に対して天井本体１の幅方向へスライド変位可能になっている。これにより、天井本体１の幅方向寸法は、第１及び第２の天井側部６，７が側壁に締結されるときの締結時寸法と、締結時寸法よりも小さい縮小時寸法との間で可変になっている。【選択図】図１
2009155076.tif 000002
【特許請求の範囲】
【請求項１】
天井中央部と、上記天井中央部の前端部に設けられ、かご室の前壁上に締結される天井前部と、上記天井中央部の後端部に設けられ、上記かご室の奥壁上に締結される天井後部と、上記天井中央部の幅方向の一端部に設けられ、上記かご室の一方の側壁上に締結される第１の天井側部と、上記天井中央部の幅方向の他端部に設けられ、上記かご室の他方の側壁上に締結される第２の天井側部とを有する天井本体を備え、
上記天井中央部に上記第１及び第２の天井側部が接続された状態での上記天井本体の幅方向寸法が、上記第１及び第２の天井側部が上記側壁に締結されるときの締結時寸法と、上記締結時寸法よりも小さい縮小時寸法との間で可変になっていることを特徴とするエレベータのかご室天井。
【請求項２】
上記天井中央部には、開閉可能な救出口が設けられており、
上記天井中央部上の上記救出口の近傍には、上記天井本体の幅方向寸法を上記縮小時寸法から上記締結時寸法に変化させるための操作部が設けられていることを特徴とする請求項１記載のエレベータのかご室天井。
【請求項３】
上記第１及び第２の天井側部の少なくともいずれか一方は、上記側壁に締結される締結位置と、上記天井本体の幅方向寸法を縮小時寸法にする縮小位置との間で、上記天井中央部に対して変位可能な可動天井側部であることを特徴とする請求項１又は請求項２に記載のエレベータのかご室天井。
【請求項４】
上記可動天井側部と上記天井中央部との間には、上記天井本体の幅方向への上記可動天井側部の変位を案内するスライドガイド機構が設けられていることを特徴とする請求項３記載のエレベータのかご室天井。
【請求項５】
上記可動天井側部と上記天井中央部との間には、上記可動天井側部を上記締結位置へ付勢する付勢手段と、上記可動天井側部を上記縮小位置に保持する保持機構とがさらに設けられていることを特徴とする請求項４記載のエレベータのかご室天井。
【請求項６】
上記縮小時寸法は、上記側壁間の寸法よりも小さいことを特徴とする請求項１から請求項５までのいずれか１項に記載のエレベータのかご室天井。
【請求項７】
天井中央部と、上記天井中央部の前端部に設けられた天井前部と、上記天井中央部の後端部に設けられた天井後部と、上記天井本体の幅方向の一端部に設けられた第１の天井側部と、上記天井本体の幅方向の他端部に設けられた第２の天井側部とを有する天井本体を、かご室出入口からかご室内に搬入する工程、
古いかご室天井が撤去された状態のかご室上に、幅方向寸法を縮小した状態の天井本体を移動させ、上記かご室の前壁上に上記天井前部を乗せるとともに、上記かご室の奥壁上に上記天井後部を乗せる工程、及び
上記前壁上に上記天井前部を、上記奥壁上に上記天井後部をそれぞれ締結するとともに、上記天井本体の幅方向寸法を拡大させ、上記かご室の一方の側壁上に上記第１の天井側部を、上記かご室の他方の側壁上に上記第２の天井側部をそれぞれ締結する工程
を含むことを特徴とするエレベータのかご室天井の改修方法。
【発明の詳細な説明】
【技術分野】
【０００１】
この発明は、エレベータのかご室の上部に設けられているかご室天井、及びその改修方法に関するものである。
【背景技術】
【０００２】
従来のエレベータのかご室天井の改修方法では、かご室天井を天井中央板と２枚の天井端板とに分割した状態でかご室内に搬入し、まずは天井中央板をかご室の前面壁の上端と後面壁の上端との間に渡して締結固定する。次に、天井端板の一端をかご室の左右面壁の上端に載置するとともに、天井端板の他端を天井中央板に重ね、かご室内で締結固定する。この後、天井端板と左右面壁の上端とをかご室外で締結固定する（例えば、特許文献１参照）。
【０００３】
【特許文献１】特開２００３−２５２５５０号公報
【発明の開示】
【発明が解決しようとする課題】
【０００４】
上記のような従来のかご室天井の改修方法では、ボルト等の締結具による締結箇所が多いため、かご室天井の組立に手間がかかる。また、締結忘れによるかご室の強度不足が生じるおそれがあった。
【０００５】
この発明は、上記のような課題を解決するためになされたものであり、締結箇所を少なくすることができ、これによりかご室への取付を容易にすることができるとともに、締結忘れを防止することができるエレベータのかご室天井及びその改修方法を得ることを目的とする。
【課題を解決するための手段】
【０００６】
この発明に係るエレベータのかご室天井は、天井中央部と、天井中央部の前端部に設けられ、かご室の前壁上に締結される天井前部と、天井中央部の後端部に設けられ、かご室の奥壁上に締結される天井後部と、天井中央部の幅方向の一端部に設けられ、かご室の一方の側壁上に締結される第１の天井側部と、天井中央部の幅方向の他端部に設けられ、かご室の他方の側壁上に締結される第２の天井側部とを有する天井本体を備え、天井中央部に第１及び第２の天井側部が接続された状態での天井本体の幅方向寸法が、第１及び第２の天井側部が側壁に締結されるときの締結時寸法と、締結時寸法よりも小さい縮小時寸法との間で可変になっている。
【発明の効果】
【０００７】
この発明のエレベータのかご室天井は、天井中央部に第１及び第２の天井側部が接続された状態での天井本体の幅方向寸法が締結時寸法と縮小時寸法との間で可変であるため、幅方向寸法を縮小時寸法にした状態で天井本体をかご室内に搬入して前壁と奥壁との間に架け渡し、この後天井本体の幅方向寸法を締結時寸法に拡張して第１及び第２の天井側部を側壁上に乗せることができる。このため、天井本体を複数の板に完全に分割してしまう場合に比べ、締結箇所を少なくすることができ、これによりかご室への取付を容易にすることができるとともに、締結忘れを防止することができる。
【発明を実施するための最良の形態】
【０００８】
以下、この発明を実施するための最良の形態について、図面を参照して説明する。
実施の形態１．
図１はこの発明の実施の形態１によるエレベータのかご室天井を示す平面図、図２は図１のＩＩ−ＩＩ線に沿う断面図である。図において、天井本体１の下部には、吊意匠部２が支持されている。吊意匠部２は、かご室照明装置を有している。
【０００９】
天井本体１は、長方形の平板状の天井中央部３と、天井中央部３の前端部（図１の下端部）に設けられた天井前部４と、天井中央部３の後端部（図１の上端部）に設けられた天井後部５と、天井中央部３の幅方向（図１の左右方向）の一端部（図１の右端部）に設けられた第１の天井側部６と、天井中央部３の幅方向の他端部（図１の左端部）に設けられた第２の天井側部７とを有している。
【００１０】
天井前部４は、かご室の前壁の上端部に締結される。天井後部５は、かご室の奥壁の上端部に締結される。第１の天井側部６は、かご室の一方の側壁８ａの上端部に締結される。第２の天井側部７は、かご室の他方の側壁８ｂの上端部に締結される。
【００１１】
天井中央部３には、かご室内とかご室上とを連通する救出口３ａが設けられている。また、天井中央部３には、救出口３ａを開閉する蓋９が設けられている。
【００１２】
第１及び第２の天井側部６，７は、側壁８ａ，８ｂに締結される締結位置と、締結位置よりも天井本体１の幅方向中心側の縮小位置との間で、天井中央部３に対して天井本体１の幅方向へスライド変位可能になっている。即ち、この例では、第１及び第２の天井側部６，７の両方が可動天井側部になっている。
【００１３】
これにより、天井中央部３に第１及び第２の天井側部６，７が接続された状態での天井本体１の幅方向寸法は、第１及び第２の天井側部６，７が側壁８ａ，８ｂに締結されるときの締結時寸法（正規のかご室天井幅寸法）と、締結時寸法よりも小さい縮小時寸法との間で可変になっている。この例では、縮小時寸法は、側壁８ａ，８ｂ間の寸法（かご室間口寸法）よりも小さくなるように設定されている。
【００１４】
第１の天井側部６と天井中央部３との間には、天井本体１の幅方向への第１の天井側部６の変位を案内する一対の第１のスライドガイド機構１０ａが、天井本体１の前後方向に互いに間隔をおいて設けられている。第２の天井側部７と天井中央部３との間には、天井本体１の幅方向への第２の天井側部７の変位を案内する一対の第２のスライドガイド機構１０ｂが、天井本体１の前後方向に互いに間隔をおいて設けられている。
【００１５】
第１の天井側部６には、天井本体１の前後方向に互いに間隔をおいて一対の第１の天井側部ばね受金１１ａが設けられている。天井中央部３上には、第１の天井側部ばね受金１１ａに対向する一対の第１の天井中央部ばね受金１２ａが設けられている。第１の天井側部ばね受金１１ａと第１の天井中央部ばね受金１２ａとの間には、第１の天井側部６を締結位置へ付勢する付勢手段としての第１の圧縮ばね１３ａがそれぞれ設けられている。
【００１６】
第２の天井側部７には、天井本体１の前後方向に互いに間隔をおいて一対の第２の天井側部ばね受金１１ｂが設けられている。天井中央部３上には、第２の天井側部ばね受金１１ｂに対向する一対の第２の天井中央部ばね受金１２ｂが設けられている。第２の天井側部ばね受金１１ｂと第２の天井中央部ばね受金１２ｂとの間には、第２の天井側部７を締結位置へ付勢する付勢手段としての第２の圧縮ばね１３ｂがそれぞれ設けられている。
【００１７】
第１の天井側部６と天井中央部３との間には、第１の天井側部６を縮小位置に保持する第１の保持機構１４ａが設けられている。第１の保持機構１４ａは、天井本体１の前後方向に平行に天井中央部３上に設けられた第１の連結棒１５ａと、天井本体１の前後方向に互いに間隔をおいて第１の連結棒１５ａに連結された複数の第１のストッパ１６ａとを有している。第１のストッパ１６ａは、第１の天井側部６が縮小位置に位置するときに天井中央部３を貫通して第１の天井側部６に係合し、第１の圧縮ばね１３ａに抗して第１の天井側部６を縮小位置に保持する。
【００１８】
第２の天井側部７と天井中央部３との間には、第２の天井側部７を縮小位置に保持する第２の保持機構１４ｂが設けられている。第２の保持機構１４ｂは、天井本体１の前後方向に平行に天井中央部３上に設けられた第２の連結棒１５ｂと、天井本体１の前後方向に互いに間隔をおいて第２の連結棒１５ｂに連結された複数の第２のストッパ１６ｂとを有している。第２のストッパ１６ｂは、第２の天井側部７が縮小位置に位置するときに天井中央部３を貫通して第２の天井側部７に係合し、第２の圧縮ばね１３ｂに抗して第２の天井側部７を縮小位置に保持する。
【００１９】
第１の連結棒１５ａには、第１の連結棒１５ａを介して第１のストッパ１６ａを動かすことにより、天井本体１の幅方向寸法を縮小時寸法から締結時寸法に変化させるための操作部である第１の取手１７ａが設けられている。同様に、第２の連結棒１５ｂには、第２の連結棒１５ｂを介して第２のストッパ１６ｂを動かすことにより、天井本体１の幅方向寸法を縮小時寸法から締結時寸法に変化させるための操作部である第２の取手１７ｂが設けられている。第１及び第２の取手１７ａ，１７ｂは、天井中央部３上の救出口３ａの近傍に設けられている。
【００２０】
図３は図１のＩＩＩ−ＩＩＩ線に沿う断面図、図４は図３の第２の天井側部７を縮小位置に変位させた状態を示す断面図、図５は図１のＶ−Ｖ線に沿う断面図、図６は図５の第２の天井側部７を縮小位置に変位させた状態を示す断面図である。
【００２１】
第１及び第２の天井側部６，７を縮小位置に変位させることにより、第１及び第２の圧縮ばね１３ａ，１３ｂは圧縮される。この状態で第１及び第２のストッパ１６ａ，１６ｂを下動させ第１及び第２の天井側部６，７に係合させることにより、第１及び第２の天井側部６，７は縮小位置に保持され、天井本体１の幅方向寸法は縮小時寸法に保持される。
【００２２】
この状態から、第１及び第２の取手１７ａ，１７ｂを操作して、第１及び第２のストッパ１６ａ，１６ｂを上動させ、第１及び第２のストッパ１６ａ，１６ｂの第１及び第２の天井側部６，７との係合状態を解除すると、第１及び第２の圧縮ばね１３ａ，１３ｂの復元力により、第１及び第２の天井側部６，７は、自動的に締結位置へ変位される。これにより、天井本体１の幅方向寸法は締結時寸法となる。このとき、縮小位置から締結位置へ向かう方向への第１及び第２の天井側部６，７の変位量は、第１及び第２のスライドガイド機構１０ａ，１０ｂにより規制されている。
【００２３】
次に、かご室天井の改修方法について説明する。古いかご室天井を撤去した後、実施の形態１に示す新しいかご室天井をかご室内に搬入する。このとき、天井本体１の幅方向寸法を縮小時寸法としておくことにより、天井本体１をかご出入口からかご室内に容易に搬入することができる。
【００２４】
この後、幅方向寸法を縮小時寸法としたままの状態で、天井本体１をかご室上に移動させ、前壁上に天井前部４を乗せるとともに、奥壁上に天井後部５を乗せる。そして、前壁の上端部に天井前部４を、奥壁の上端部に天井後部５をそれぞれボルトにより締結する。
【００２５】
また、天井本体１の幅方向寸法を締結時寸法に拡大させ、側壁８ａの上端部に第１の天井側部６を、側壁８ｂの上端部に第２の天井側部７をそれぞれボルトにより締結する。第１及び第２の天井側部６，７を締結位置に変位させる際には、救出口３ａを開放し、かご室内から第１及び第２の取手１７ａ，１７ｂを操作する。
【００２６】
この後、必要に応じて、第１及び第２の天井側部６，７を天井中央部３にボルトにより締結する。そして最後に、天井中央部３の下部に吊意匠部２を取り付ける。
【００２７】
このようなエレベータのかご室天井では、天井中央部３に第１及び第２の天井側部６，７が接続された状態での天井本体１の幅方向寸法が締結時寸法と縮小時寸法との間で可変であるため、幅方向寸法を縮小時寸法にした状態で天井本体１をかご室内に搬入して前壁と奥壁との間に架け渡し、この後天井本体１の幅方向寸法を締結時寸法に拡張して第１及び第２の天井側部６，７を側壁８ａ，８ｂ上に乗せることができる。このため、天井本体１を複数の板に完全に分割してしまう場合に比べ、締結箇所を少なくすることができ、これによりかご室天井のかご室への取付を容易にすることができるとともに、締結忘れを防止することができる。また、幅方向寸法が変化しない従来の一体型のかご室天井に比べると、搬入及び据付が格段に容易となる。
【００２８】
また、第１及び第２の取手１７ａ，１７ｂが天井中央部３上の救出口３ａの近傍に設けられているため、天井本体１の幅方向寸法を拡張する作業を、天井本体１がかご室上に配置された状態で、救出口３ａを通してかご室内から容易に行うことができる。
【００２９】
さらに、第１及び第２の天井側部６，７を天井中央部３に対して変位させることにより天井本体１の幅方向寸法を変化させるようにしたので、可動部を小さく構成することができ、可動部を変位させる作業が容易である。
【００３０】
さらにまた、第１及び第２の天井側部６，７と天井中央部３との間に第１及び第２のスライドガイド機構１０ａ，１０ｂを設けたので、天井本体１の上下方向寸法（厚さ寸法）を変化させずに、幅方向寸法のみを変化させることができる。
【００３１】
また、第１及び第２の天井側部６，７と天井中央部３との間には、第１及び第２の圧縮ばね１３ａ，１３ｂと第１及び第２の保持機構１４ａ，１４ｂとを設けたので、第１及び第２の天井側部６，７を締結位置に容易に変位させることができるとともに、縮小位置に容易に保持することができる。
【００３２】
さらに、縮小時寸法を側壁８ａ，８ｂ間の寸法よりも小さくしたので、天井本体１を容易にかご室上に移動させることができる。
【００３３】
また、上記のようなかご室天井の改修方法では、天井中央部３に第１及び第２の天井側部６，７を接続したままの状態で天井本体１をかご室上に移動させてから、天井本体１の幅方向寸法を拡張し、天井本体１を前壁、奥壁及び側壁に締結するので、かご室への取付を容易にすることができるとともに、締結忘れを防止することができる。
【００３４】
実施の形態２．
次に、図７はこの発明の実施の形態２によるエレベータのかご室天井を示す平面図、図８は図７のＶＩＩＩ−ＶＩＩＩ線に沿う断面図、図９は図７の第１及び第２の天井側部６，７を縮小位置に変位させた状態を示す平面図、図１０は図９のＸ−Ｘ線に沿う断面図である。
【００３５】
図において、第１の天井側部６と天井中央部３との間には、天井本体１の幅方向への第１の天井側部６の変位を案内する一対の第１のスライドガイド機構２１ａが、天井本体１の前後方向に互いに間隔をおいて設けられている。各第１のスライドガイド機構２１ａは、天井中央部３に設けられた第１のガイド孔２２ａと、第１のガイド孔２２ａを貫通し第１の天井側部６に固定された第１のガイドボルト２３ａとを有している。
【００３６】
第２の天井側部７と天井中央部３との間には、天井本体１の幅方向への第２の天井側部７の変位を案内する一対の第２のスライドガイド機構２１ｂが、天井本体１の前後方向に互いに間隔をおいて設けられている。各第２のスライドガイド機構２１ｂは、天井中央部３に設けられた第２のガイド孔２２ｂと、第２のガイド孔２２ｂを貫通し第２の天井側部７に固定された第２のガイドボルト２３ｂとを有している。
【００３７】
第１のガイドボルト２３ａ間は、第１の連結棒２４ａにより連結されている。また、第２のガイドボルト２３ｂ間は、第２の連結棒２４ｂにより連結されている。第１の連結棒２４ａの中間部には、第１の連結リンク２５ａの先端部が回動自在に連結されている。第２の連結棒２４ｂの中間部には、第２の連結リンク２５ｂの先端部が回動自在に連結されている。
【００３８】
第１の連結リンク２５ａの基端部には、操作リンク２６の一端部が回動自在に連結されている。第２の連結リンク２５ｂの基端部には、操作リンク２６の他端部が回動自在に連結されている。操作リンク２６は、天井中央部３上の中央部に設けられている。
【００３９】
第１及び第２の連結リンク２５ａ，２５ｂと操作リンク２６との連結部には、操作部である一対のレバー２７ａ，２７ｂが設けられている。レバー２７ａ，２７ｂは、天井中央部３上で救出口３ａの近傍に設けられている。各ガイドボルト２３ａ，２３ｂには、カラー２８が設けられている。他の構成は、実施の形態１と同様である。
【００４０】
このようなかご室天井では、レバー２７ａ，２７ｂを持って操作リンク２６を鉛直な軸線を中心として回動させることにより、第１及び第２の連結棒２４ａ，２４ｂが天井本体１の幅方向に変位され、これとともに第１及び第２の天井側部６，７も同時に変位される。従って、実施の形態１と同様に、締結箇所を少なくすることができ、これによりかご室天井のかご室への取付を容易にすることができるとともに、締結忘れを防止することができる。
【００４１】
また、簡単な構成により、第１及び第２の天井側部６，７を同時に変位させることができ、作業効率を向上させることができる。
【００４２】
なお、天井中央部３と第１及び第２の天井側部６，７との締結は、十分な強度が確保されていれば省略することもできる。
また、吊意匠部２は設けなくてもよく、天井本体１の下部に単なるかご室照明装置だけを設けてもよい。
さらに、上記の例では、第１及び第２の天井側部６，７の両方を可動天井側部としたが、片側のみを可動天井側部としてもよい。
さらにまた、上記の例では、第１及び第２の天井側部６，７をスライド変位可能としたが、例えば第１及び第２の天井側部６，７の少なくともいずれか一方をヒンジを介して回動可能に天井中央部３に接続し、天井本体１の幅方向寸法を縮小時寸法にする際には、第１及び第２の天井側部６，７を天井中央部３の上側へ回動させるようにしてもよい。
また、上記の例では、第１及び第２の天井側部６，７を変位させることにより天井本体１の幅方向寸法を変化させたが、これに限定されるものではなく、例えば天井中央部３を複数の分割片に分割し、これらの分割片を天井本体１の幅方向にスライド可能に組み合わせて、天井中央部３の幅方向寸法を伸縮可能としてもよい。
さらに、天井前部４及び天井後部５は、天井中央部３と一体に形成しても、別部品で構成して天井中央部３に締結してもよい。また、天井側部６，７の両方又は一方を天井中央部３に対して変位させない場合には、これを天井中央部３と一体に形成してもよい。
【図面の簡単な説明】
【００４３】
【図１】この発明の実施の形態１によるエレベータのかご室天井を示す平面図である。
【図２】図１のＩＩ−ＩＩ線に沿う断面図である。
【図３】図１のＩＩＩ−ＩＩＩ線に沿う断面図である。
【図４】図３の第２の天井側部を縮小位置に変位させた状態を示す断面図である。
【図５】図１のＶ−Ｖ線に沿う断面図である。
【図６】図５の第２の天井側部を縮小位置に変位させた状態を示す断面図である。
【図７】この発明の実施の形態２によるエレベータのかご室天井を示す平面図である。
【図８】図７のＶＩＩＩ−ＶＩＩＩ線に沿う断面図である。
【図９】図７の第１及び第２の天井側部を縮小位置に変位させた状態を示す平面図である。
【図１０】図９のＸ−Ｘ線に沿う断面図である。
【符号の説明】
【００４４】
１  天井本体、３  天井中央部、３ａ  救出口、４  天井前部、５  天井後部、６  第１の天井側部（可動天井側部）、７  第２の天井側部（可動天井側部）、８ａ，８ｂ  側壁、１０ａ，２１ａ  第１のスライドガイド機構、１０ｂ，２１ｂ  第２のスライドガイド機構、１３ａ  第１の圧縮ばね（付勢手段）、１３ｂ  第２の圧縮ばね（付勢手段）、１４ａ  第１の保持機構、１４ｂ  第２の保持機構、１７ａ  第１の取手（操作部）、１７ｂ  第２の取手（操作部）、２７ａ，２７ｂ  レバー（操作部）。
【図１】
2009155076.tif 000003
【図２】
2009155076.tif 000004
【図３】
2009155076.tif 000005
【図４】
2009155076.tif 000006
【図５】
2009155076.tif 000007
【図６】
2009155076.tif 000008
【図７】
2009155076.tif 000009
【図８】
2009155076.tif 000010
【図９】
2009155076.tif 000011
【図１０】
2009155076.tif 000012